(57)【特許請求の範囲】
【請求項１】
装置本体側に取り付けられ、後板を有する取付部材と、
この取付部材に、その後端部がヒンジピンを介して上下方向に回動自在に枢支連結された支持部材と、
この支持部材の上側に重なり合い該支持部材の前端部に、その後端部が支持ピンを介して上下方向に回動自在に枢支連結されて、原稿圧着板の後端側に取り付けられるリフト部材と、
前記支持部材と前記取付部材との間に、前記支持部材を開き方向へ回動付勢し、かつ前記リフト部材を前記支持部材と重なり合う方向へ付勢するように装着された圧縮コイルばねと、を備えている原稿圧着板開閉装置において、
前記取付部材と前記リフト部材との間に、前記リフト部材の高さを調整するリフト部材高さ調整手段が設けられており、
このリフト部材高さ調整手段が、前記取付部材の後板に設けた雌ねじ孔に前後方向に進退動自在に螺合挿通され、その後端が前記後板の後方へ突出した高さ調整ねじ、前記取付部材に、前記高さ調整ねじの正逆回転作用を受けることにより前後方向に進退動可能に組み込まれたスライダー、および前記取付部材に上下方向に昇降動自在に組み込まれ、その上端部が前記リフト部材の後端側の下面に当接している高さ調整板により構成されており、
前記スライダーに、該スライダーの前進に伴い前記高さ調整板と接触して該高さ調整板を下降させる引下げ用斜面、及び該スライダーの後退に伴い前記高さ調整板と接触して該高さ調整板を上昇させる押上げ用斜面をそれぞれ設けていることを特徴とする、原稿圧着板開閉装置。
【請求項２】
前記スライダーは前記高さ調整ねじの先端部に空転自在に連結されている、請求項１記載の原稿圧着板開閉装置。
【請求項３】
前記高さ調整板が、垂直板部と、この垂直板部の下端から所定勾配で後方に斜め下方へ連設され、前記スライダーの引下げ用斜面と押上げ用斜面との間の空隙に差し込まれた斜面板部、および前記垂直板部の左右両端に連設され、上端が前記リフト部材の後端寄りの下面に対し当接させた１対の突っ張り杆を有する形に形成されている、請求項１又は２記載の原稿圧着板開閉装置。
【発明の詳細な説明】
【０００１】
【発明の属する技術分野】
本発明は、複写機、印刷機、スキャナー等に設置されて厚物原稿を圧着するのに用いられるリフト機能付きの原稿圧着板開閉装置の改良に関する。
【０００２】
【従来の技術】
この種の原稿圧着板開閉装置は、たとえば、実用新案登録第２５８２４７５号（実開平７−１４４５１）公報に開示されている。この原稿圧着板開閉装置は、図８に示すように、複写機等の装置本体４０に取り付けられる取付部材４１と、この取付部材４１の両側板に一端部側をヒンジピン４２を介して回動自在に枢支連結された支持部材４３と、この支持部材４３の上側に重なり合い該支持部材４３の他端部側に支持軸４４を介して回動自在に枢支連結され、原稿圧着板４５の後端側に取り付けられるリフト部材４６と、このリフト部材４６の支持部材４３に対する枢支連結側であってリフト部材４６の回動時に支持軸４４を支点に旋回する位置の両側板間に取り付けられた作動軸４７と、この作動軸４７と取付部材４１側の支持部材４３の枢支連結位置とは異なる位置との間に支持部材４３を原稿圧着板４５の開き方向へ付勢させ、かつ原稿圧着板４５を取り付けたリフト部材４６を支持部材４３と重なり合う方向へ付勢保持するように弾設した圧縮コイルばね４８などで構成している。
【０００３】
上記構成の原稿圧着板開閉装置では、装置本体４０の寸法誤差や組立誤差などにより、原稿圧着板４５を閉じたときにこの原稿圧着板４５と原稿台（コンタクトガラス）４５ａとの間に隙間ができることがある。こうした場合前記隙間を調節できるように、リフト部材４６の高さを調整するための調節ねじ４９がリフト部材４６の背板４６ａに締付ナット５０により取り付けられ、調節ねじ４９の先端は支持部材４３の背板４３ａと当接している。または、調節ねじ４９はリフト部材４６に向けて支持部材４３の背板４３ａに取り付ける。
【０００４】
【発明が解決しようとする課題】
しかるに、リフト部材高さ調整用の調節ねじ４９がリフト部材４６又は支持部材４３に取り付けられた上記原稿圧着板開閉装置では、調節ねじ４９をリフト部材４６又は支持部材４３に取り付ける際、原稿圧着板４５と調節ねじ４９との干渉を避けるため、また調節ねじ４９を回転操作できるようにするために原稿圧着板４５に切欠部５２を加工する必要がある。切欠部５２は開けっ放しにしておくと、その切欠部５２に不用意に入れられる手や他物がリフト部材４６と支持部材４３間で詰められる危惧があるため、カバーで切欠部５２を覆っておく必要がある。切欠部５２がカバーで覆われていると、調節ねじ４９を回転させるときに該カバーを外したり、めくったりする必要があり、リフト部材４６の高さ調整作業に煩わしい手間がかかっていた。
【０００５】
本発明の目的は、このような問題を解消するためになされたものであり、リフト部材の高さ調整手段に工夫を凝らすことによりリフト部材の高さ調整作業の簡易化を図れ、また原稿圧着板に切欠部を設けたりカバーを付けたりする必要がなくて高さ調整ねじの組付けの簡易化を図れる原稿圧着板開閉装置を提供することにある。
【０００６】
【課題を解決するための手段】
本発明は、装置本体（１）側に取り付けられ、後板（５ｃ）を有する取付部材（５）と、この取付部材に、その後端部がヒンジピン（６）を介して上下方向に回動自在に枢支連結された支持部材（７）と、この支持部材の上側に重なり合い該支持部材の前端部に、その後端部が支持ピン（９，１０）を介して上下方向に回動自在に枢支連結されて、原稿圧着板（２）の後端側に取り付けられるリフト部材（１１）と、前記支持部材と前記取付部材との間に、前記支持部材を開き方向へ回動付勢し、かつ前記リフト部材を前記支持部材と重なり合う方向へ付勢するように装着された圧縮コイルばね（２４）と、を備えている原稿圧着板開閉装置において、取付部材（５）とリフト部材（１１）との間に、リフト部材（１１）の高さを調整するリフト部材高さ調整手段が設けられる。このリフト部材高さ調整手段は以下のように構成してあることに特徴を有する。リフト部材高さ調整手段は、取付部材（５）の後板（５ｃ）に設けた雌ねじ孔（２５）に前後方向に進退動自在に螺合挿通され、その後端が後板（５ｃ）の後方へ突出した高さ調整ねじ（２６）、取付部材（５）に、高さ調整ねじ（２６）の正逆回転作用を受けることにより前後方向に進退動可能に組み込まれたスライダー（２７）、および取付部材（５）に上下方向に昇降動自在に組み込まれ、その上端部がリフト部材（１１）の後端側の下面に当接している高さ調整板（２８）により構成される。スライダー（２７）には、該スライダーの前進に伴い高さ調整板（２８）と接触して該高さ調整板を下降させる引下げ用斜面（３０）、及び該スライダーの後退に伴い高さ調整板（２８）と接触して該高さ調整板を上昇させる押上げ用斜面（２９）をそれぞれ設けている。
【０００７】
この場合において、前記スライダー（２７）は高さ調整ねじ（２６）の先端部に空転自在に連結することができる。
また、高さ調整板（２８）は、垂直板部（２８ｂ）と、この垂直板部の下端から所定勾配で後方に斜め下方へ連設され、スライダー（２７）の引下げ用斜面（３０）と押上げ用斜面（２９）との間の空隙に差し込まれた斜面板部（２８ｃ）、および垂直板部（２８ｂ）の左右両端に連設され、上端がリフト部材（１１）の後端寄りの下面に対し当接させた１対の突っ張り杆（２８ｄ）を有する形に形成することができる。
【０００８】
【作用】
高さ調整ねじ（２６）を一方向に回転させてスライダー（２７）を前進させると、スライダー（２７）の引下げ用斜面（３０）が高さ調整板（２８）と接触して該高さ調整板を下降させる。高さ調整ねじ（２６）を前記回転方向と反対方向に回転させてスライダー（２７）を後退させると、スライダー（２７）の押上げ用斜面（２９）が高さ調整板（２８）と接触して該高さ調整板を上昇させる。この高さ調整板の上昇、下降によりリフト部材（１１）を支持ピン（９，１０）回りに上下回動させてその高さを可変調整することができ、これにより原稿圧着板（２）の角度を変えることができる。
【０００９】
スライダー（２７）の引下げ用斜面（３０）及び押上げ用斜面（２９）と高さ調整板（２８）とを接触させてあるので、スライダーの進退動により上下方向に高さ調整板を確実に変向させることができる。
【００１０】
高さ調整ねじ（２６）の後端（２６ａ）を取付部材（５）の後板（５ｃ）の後方へ突出させてあるので、原稿圧着板（２）の背後から高さ調整ねじ（２６）を容易に回転させることができてリフト部材（１１）の高さ調整が容易に行える。また、図８に示す従来のように原稿圧着板（４５）に調節ねじ（４９）との干渉を回避したり調節ねじ（４９）を回転したりするための特別な切欠部（５２）を加工したり、切欠部（５２）を覆うカバーを付けたりする必要がなくなり、それだけ簡単に高さ調整ねじ（２６）を組み付けることができる。
【００１１】
【発明の実施の形態】
以下、本発明の好適な実施形態を図面に基づいて説明する。図１は本発明の一実施例の原稿圧着板開閉装置を全閉状態で示す縦断側面図、図２は図１の原稿圧着板開閉装置を厚物原稿圧着状態で示す縦断側面図、図３はリフト部材高さ調整手段を組み込んだ取付部材の平面図、図４は図３におけるＡ矢視図、図５は図３におけるＢ―Ｂ線断面図、図６は図３におけるＣ−Ｃ線断面図、図７はリフト部材高さ調整手段及び取付部材の分解斜視図である。
【００１２】
図１において、１は複写機等の装置本体、２は原稿圧着板、３は原稿圧着板２を装置本体１に対し上下方向に開閉回動自在に取り付けた原稿圧着板開閉装置である。
【００１３】
原稿圧着板開閉装置３は、装置本体１にビス４等で取り付けられた取付部材５と、この取付部材５に、その後端側がヒンジピン６を介して上下方向に回動自在に枢支連結された支持部材７と、この支持部材７の前端側に、その前端部が作動部材８と共に互いに平行な上下２本の第１，２支持ピン９，１０を介して上下方向に回動自在に枢支連結され、原稿圧着板２の後端側に図外のビス等で取り付けられるリフト部材１１などから構成されている。
【００１４】
図７に示すように、取付部材５は、装置本体１にビス４等で取り付けられる金属製の底板５ａと、この底板５ａの左右両側端から立ち上げた両側板５ｂ，５ｂ、及び底板５ａの後端から立ち上げた後板５ｃとを有する形に形成され、両側板５ｂ，５ｂの上端側に突設した軸受片５ｄ，５ｄにヒンジピン枢支孔１２，１２を設けている。さらに、両側板５ｂ，５ｂの、ヒンジピン枢支孔１２，１２よりも下方でかつ前方に偏した位置にはストッパーピン支持孔１３，１３を設けている。
【００１５】
図１、図２に示すように、支持部材７は、金属製の上板７ａと、この上板７ａの左右両側端から下方に折曲した両側板７ｂ，７ｂ、及びこの両側板７ｂ，７ｂからそれぞれ内向きに上板７ａと平行に折曲したリップ７ｃ，７ｃとを有する断面リップ付き溝形状に形成され、両側板７ｂ，７ｂの後端部にヒンジピン６の枢支孔（図示省略）を設け、両側板７ｂ，７ｂの前端部に第１，２支持ピン９，１０の枢支孔（図示省略）を設けている。この支持部材７は、両側板７ｂ，７ｂのヒンジピン枢支孔（図示省略）を取付部材５のヒンジピン枢支孔１２，１２に合わせてこれら枢支孔にヒンジピン６を挿通することによって取付部材５に対しヒンジピン６まわりに上下方向に回動自在に枢支連結される。取付部材５の両側板５ｂ，５ｂのストッパーピン支持孔１３，１３には、ストッパーピン１７がヒンジピン６と平行に挿通固定される。
【００１６】
図１、図２に示すように、リフト部材１１は、原稿圧着板２の後端側に図外のビス等で取り付けられる金属製の上板１１ａと、この上板１１ａの左右両端から下方に折曲した両側板１１ｂ，１１ｂとを有する断面溝形状に形成され、前端側の両側板１１ｂ，１１ｂ間に作動部材８がビス等で一体的に結合固定される。その作動部材８は耐摩耗性に優れるポリアセタール系樹脂やポリアミド系樹脂などで成形され、上下方向に縦長の垂直溝１９と、この垂直溝１９の下方に垂直溝１９と直交する横長の水平溝２０がそれぞれ設けられている。
【００１７】
図１に示すように、支持部材７に対しリフト部材１１は、上板１１ａが支持部材７の上板７ａの上側に、両側板１１ｂ，１１ｂが支持部材７の両側板７ｂ，７ｂの外側にそれぞれ重なり合い、かつ作動部材８が支持部材７の前端側の両側板７ｂ，７ｂ間にはまり込むとともに、後端部が原稿圧着板２の後ろ側方向へ向くように、垂直溝１９に挿通する第１支持ピン９および水平溝２０に挿通する第２支持ピン１０でもって支持部材７の前端側に第１，２支持ピン９，１０まわりに上下方向に回動自在に枢支連結される。
【００１８】
図１に示すように、支持部材７の両側板７ｂ，７ｂ間のリップ７ｃ，７ｃ上には、耐摩耗性に優れるポリアセタール系樹脂やポリアミド系樹脂等で有底筒状に成形されたばね受２３とカムフォロア２２が前後方向に摺動自在にはめ込まれる。そして、この支持部材７内のカムフォロア２２とばね受２３間に、原稿圧着板２を取り付けたリフト部材１１を支持部材７と重なり合う方向へ回動付勢する圧縮コイルばね２４が介入される。この圧縮コイルばね２４は支持部材７内においてカムフォロア２２、ばね受２３を介してストッパーピン１７と作動部材８との間に装着される。ストッパーピン１７にはカム１４が挿入固定され、カムフォロア２２の背面には、カム１４に接触する凸部２２ａを形成している。
【００１９】
図１のように原稿圧着板２が水平姿勢に全閉した状態においては、カムフォロア２２の凸部２２ａがカム１４の最大径部１４ａに接触しており、これによって支持部材７はカム１４及び圧縮コイルばね２４を介して原稿圧着板２を閉じ方向に回動付勢させる。この状態から原稿圧着板２を開いてゆくと、支持部材７はリフト部材１１と共にヒンジピン６まわりに回動して共に開かれる。その際、図２のようにカムフォロア２２は、カム１４の、ストッパーピン１７の軸心に徐々に近づく径小部１４ｂを滑り、カムフォロア２２は圧縮コイルばね２４によりストッパーピン１７に近づく方向へ押されて摺動し、圧縮コイルばね２４は少し伸びるようになっている。
【００２０】
本発明は、上記構成の原稿圧着板開閉装置３において、取付部材５とリフト部材１１との間に、リフト部材１１の高さを調整するリフト部材高さ調整手段を設けることに特徴を有する。
【００２１】
リフト部材高さ調整手段は、図３ないし図７に示すように、取付部材５の後板５ｃに設けた雌ねじ孔２５に前後方向に進退動自在に螺合挿通され、その後端２６ａが後板５ｃの後方へ突出した高さ調整ねじ２６、取付部材５の内部に、高さ調整ねじ２６の正逆回転作用を受けることにより前後方向に進退動自在に組み込まれたスライダー２７、および取付部材５の内部に上下方向に昇降動自在に組み込まれ、その上端部２８ａがリフト部材１１の後端側の下面に当接している高さ調整板２８により構成される。
【００２２】
スライダー２７は、図７に示すように、上面に所定勾配α（例えば、３０°）（図６参照）の押上げ用斜面２９を有する前半部２７ａと、左右下面に前記押上げ用斜面２９と同一勾配の引下げ用斜面３０を有する後半部２７ｂとを一体に成形したポリアセタール系樹脂等のプラスチック成形品である。このスライダー２７は、図５、図６に示すように、取付部材５内の後方下部にビス３６等で固定されるスライダー台３１の上に前後方向に進退動自在に載置される。スライダー台３１は前記プラスチック製のカム１４の後部に一体に成形され、その上面にスライダー摺動面３１ａが水平に形成されている。
【００２３】
スライダー２７は高さ調整ねじ２６の先端部に空転自在に連結される。具体的には、図３、図５に示すように、スライダー２７の後半部２７ｂの上面の左右中央部位に調整ねじ軸係合溝３２を前後方向に設けるとともに、調整ねじ軸係合溝３２の前端側に頭部係合溝３３を直交状に連設している。一方、高さ調整ねじ２６は先端に円形頭部２６ｂを、後端にねじ回し工具の先端が嵌め込まれる溝３４、或いは角穴等をそれぞれ有しており、この高さ調整ねじ２６の先端側がスライダー２７の調整ねじ軸係合溝３２に係合されると共に円形頭部２６ｂが頭部係合溝３３に係合される。
【００２４】
しかるときは、高さ調整ねじ２６を一方向に回転させて前進させると、スライダー台３１のスライダー摺動面３１ａ上においてスライダー２７が高さ調整ねじ２６により前方へ押されて前進し、高さ調整ねじ２６を前記回転方向と反対方向に回転させて後退させると、スライダー２７が高さ調整ねじ２６により後方へ引っ張られてスライダー摺動面３１ａ上で後退する。
【００２５】
高さ調整板２８は、図７に示すように、金属製の垂直板部２８ｂ、垂直板部２８ｂの下端から後方に所定勾配θ（例えば、前記押上げ用斜面、引下げ用斜面の勾配αが３０°に対し６０°とする）（図５参照）で斜め下方へ二股状に連設した斜面板部２８ｃ、および垂直板部２８ｂの左右両端に垂直に連設したＬ形状の突っ張り杆２８ｄ，２８ｄにより構成される。この高さ調整板２８は、図４ないし図６に示すように、スライダー台３１の上におけるスライダー２７の前側に上下方向に昇降動自在に組み込まれる。そのために、スライダー台３１の前端部とカム１４とのつながり部から垂直壁３１ｂを上向きに一体に突設する一方、左右の軸受３５，３５を取付部材５の左右軸受片５ｄ，５ｄの各ヒンジピン枢支孔１２に嵌め込むことにより各軸受３５を各軸受片５ｄの外面上に重合固定する。軸受３５の前端面３５ａは垂直に形成している。
【００２６】
かくして、図５、図６に示すように、高さ調整板２８は、これの斜面板部２８ｃがスライダー２７の押上げ用斜面２９と引下げ用斜面３０との間の空隙にこれの前方から差し込まれ、かつ垂直板部２８ｂがスライダー台３１の垂直壁３１ｂと取付部材５の左右軸受片５ｄ，５ｄとの間の間隙に上下動可能に嵌め込まれると共に、左右の突っ張り杆２８ｄ，２８ｄが左右軸受片５ｄ，５ｄの外面上でかつ左右軸受３５，３５の各垂直な前端面３５ａに沿って上下動可能に配置されるように組み込まれる。左右の突っ張り杆２８ｄの各上端部２８ａはリフト部材１１の後端寄りの下面に対し当接させる。
【００２７】
しかるときは、図６に示すように、高さ調整ねじ２６の一方向の回転操作によりスライダー２７がａ方向に前進すると、スライダー２７の引下げ用斜面３０が高さ調整板２８の斜面板部２８ｃの上面と接触して該高さ調整板２８がスライダー台３１の垂直壁３１ｂと左右軸受３５，３５との間の案内下でｃ方向に下降する。高さ調整ねじ２６の逆方向の回転操作によりスライダー２７がｂ方向に後退すると、スライダー２７の押上げ用斜面２９が高さ調整板２８の斜面板部２８ｃの下面と接触して該高さ調整板２８がｄ方向に上昇する。この高さ調整板２８の上昇によりリフト部材１１が圧縮コイルばね２４による回動付勢力に抗して第１，２支持ピン９，１０回りに上方回動し、また圧縮コイルばね２４により回動付勢されているリフト部材１１は高さ調整板２８の下降に追従して第１，２支持ピン９，１０回りに下方回動する。このリフト部材１１の上下回動によりその高さを可変調整することができ、これにより原稿圧着板２の角度を変えることができる。
【００２８】
上記構成の原稿圧着板開閉装置によれば、図１のように原稿圧着板２が水平姿勢に全閉した状態では、圧縮コイルばね２４は圧縮した状態にあり、第１支持ピン９は垂直溝１９内の上端部に、第２支持ピン１０は水平溝２０内の後端部寄りにそれぞれ位置している。
【００２９】
いま、原稿が紙のように薄い薄物原稿を圧着する場合には、原稿圧着板２は、リフト部材１１と取付部材５の間に介在した圧縮コイルばね２４の弾力によって開閉動作の全行程にわたって反転することなく操作され、カム１４の最大径部１４ａに当接するカムフォロア２２とリフト部材１１を介して支持部材７に作用している圧縮コイルばね２４の弾力によって所定の開き角度で安定よく停止保持される。
【００３０】
図２に示すように、原稿Ｐが本のように厚物原稿の場合には、原稿圧着板２を閉じてその一部を厚物原稿Ｐに当てがい、原稿圧着板２の手前側を若干強く下方へ押すと、リフト部材１１が作動部材８でスライダー２３を介して圧縮コイルばね２４を押圧し、その弾力に抗して第１，２支持ピン９，１０まわりにＭ矢視方向に反転し、原稿圧着板２がその後端側をリフトアップされて厚物原稿Ｐの上部に対して平行となり、厚物原稿Ｐ全体を装置本体１上に均等な圧力で圧着する。
【００３１】
リフト部材１１が第１，２支持ピン９，１０回りに反転するとき、リフト部材１１と共に作動部材８は垂直溝１９をＹ矢視方向へスライドする上昇移動と、これと同時に水平溝２０をＸ矢視方向へスライドする水平移動との複合により楕円軌道を描きながら反転する。
【００３２】
このようにリフト部材１１が厚物原稿Ｐの厚みに見合った高さにまで反転してリフトする時に、リフト部材１１と共に作動部材８の垂直溝１９が第１支持ピン９に沿って上昇移動するため、この上昇移動分だけリフト部材１１の反転角を少なくすることができる。リフト部材１１の反転角が少なくて足りることにより、リフト部材１１の反転に伴い原稿圧着板２がこれの後方向Ｎへ厚物原稿Ｐを引き摺るのを可及的に抑制することができる。したがって複写位置のずれを防止できる。
【００３３】
原稿圧着板開閉装置３の組立直後または実用時に、原稿圧着板２を全閉したとき原稿圧着板２が浮いて原稿台１ａとの間に隙間が生じる場合は、原稿圧着板２の背後から高さ調整ねじ２８を正回転又は逆回転させることによりスライダー２７及び高さ調整板２８を介してリフト部材１１が若干上昇又は下降するため、これにより原稿圧着板２の角度を変えることができて前記隙間を無くしたり微調整したりすることができる。
【００３４】
スライダー２７は高さ調整ねじ２６の先端部に空転自在に連結するに代えて、スライダー２７の後端面に雌ねじ孔を前後方向に設け、この雌ねじ孔に高さ調整ねじ２６の頭無し先端部を螺入させて連結することもできる。
【００３５】
【発明の効果】
本発明によれば、高さ調整ねじを回転させることによりスライダー及び高さ調整板を介して原稿圧着板と原稿台間の隙間を容易に無くしたり微調整したりすることができ、しかも、スライダーの引下げ用斜面及び押上げ用斜面と高さ調整板とを接触させてあるので、スライダーの進退動により上下方向に高さ調整板を確実に変向させることができる。
【００３６】
高さ調整ねじはこれの後端を取付部材の後板の後方へ突出させてあるので、原稿圧着板の背後から高さ調整ねじを容易に回転させることができてリフト部材の高さ調整が簡易に行える。また、従来のように原稿圧着板に高さ調整ねじとの干渉を回避したり、高さ調整ねじを回転したりするための特別な切欠部を加工したり、切欠部を覆うカバーを付けたりする必要が無くなり、それだけ高さ調整ねじの組み付けが容易に行え、その組付け性にも優れる。
【図面の簡単な説明】
【図１】本発明の一実施例の原稿圧着板開閉装置を全閉状態で示す縦断側面図である。
【図２】図１の原稿圧着板開閉装置を厚物原稿圧着状態で示す縦断側面図である。
【図３】リフト部材高さ調整手段を組み込んだ取付部材の平面図である。
【図４】図３におけるＡ矢視図である。
【図５】図３におけるＢ―Ｂ線断面図である。
【図６】図３におけるＣ−Ｃ線断面図である。
【図７】リフト部材高さ調整手段及び取付部材の分解斜視図である。
【図８】従来例の原稿圧着板開閉装置の縦断側面図である。
【符号の説明】
１  装置本体
２  原稿圧着板
３  原稿圧着板開閉装置
５  取付部材
６  ヒンジピン
７  支持部材
９，１０  支持ピン
１１  リフト部材
２４  圧縮コイルばね
２５  雌ねじ孔
２６  高さ調整ねじ
２７  スライダー
２８  高さ調整板
２８ａ  高さ調整板の上端部
２８ｂ  垂直板部
２８ｃ  斜面板部
２８ｄ  突っ張り杆
２９  押上げ用斜面
３０  引下げ用斜面
【図１】
0003584242.tif 000002
【図２】
0003584242.tif 000003
【図３】
0003584242.tif 000004
【図４】
0003584242.tif 000005
【図５】
0003584242.tif 000006
【図６】
0003584242.tif 000007
【図７】
0003584242.tif 000008
【図８】
0003584242.tif 000009